(57)【要約】【課題】本発明は、特定のタイプの人間又は特定のタイプの情報を求めてＰ２Ｐネットワークにおいてサーチするシステム及び方法を提供する。【解決手段】本発明によるシステム及び方法では、特に、Ｐ２Ｐネットワークにおいて特定のタイプの情報又は特定のタイプの人間をを見付けるためのプロファイリング手段として特定のタイプのサーチ語を用いる。特定のタイプの人間又は特定のタイプの情報が必要とされているときには、特定のタイプのサーチ語を、そのＰ２Ｐネットワークにおいて発行する。その特定のタイプの人間又は特定のタイプの情報が入手可能である場合には、応答が受けとられる。【選択図】図１
2011216105.tif 000002
【特許請求の範囲】
【請求項１】
特定のタイプの人間又は特定のタイプの情報を結果的に発見することが知られている少なくとも１つの特定のサーチ語を用いることにより、前記特定のタイプの人間又は前記特定のタイプの情報の少なくとも１つを求めてＰ２Ｐネットワークをサーチするシステムであって、
（ａ）命令を記憶する記憶媒体と、
（ｂ）ユーザ入力を受けとるユーザ入力デバイスと、
（ｃ）前記ユーザ入力を処理し前記命令を用いて、（ｉ）前記Ｐ２Ｐネットワークに接続し、（ｉｉ）前記特定のタイプの人間又は前記特定のタイプの情報を発見することが知られている少なくとも１つの特定のサーチ語を発行するようにプログラムを実行するように動作可能なプロセッサ・ユニットと、
を備えていることを特徴とするシステム。
【請求項２】
請求項１記載のシステムにおいて、前記特定のタイプの人間又は前記特定のタイプの情報は金融口座に関係していることを特徴とするシステム。
【請求項３】
請求項２記載のシステムにおいて、前記特定のサーチ語は、ＭＢＮＡ、紛争（dispute）、ステートメント（statement）、銀行（bank）、シティバンク（Citibank）、アメリカン・エクスプレス（american express）、バンクワン（bankone）、カード・サービシズ（card services）、チェース（chase）、チェッキング（checking）、デビット（debit）、デポジット（deposit）、ファーストユーエスエイ（firstusa）、ローン（loan）、支払い（payment）、貯蓄（savings）及び取引き（transaction）から構成されるグループから選択される少なくとも１つの語であることを特徴とするシステム。
【請求項４】
請求項１記載のシステムにおいて、前記特定のタイプの人間又は前記特定のタイプの情報は、窃盗及びクレジットカード紛争の識別に関係することを特徴とするシステム。
【請求項５】
請求項４記載のシステムにおいて、前記特定のサーチ語は、紛争、カバー・レター、梗概（resume）、クレジットカード、ｍｂｎａ及びシティバンクから構成されるグループから選択された少なくとも１つの語であることを特徴とするシステム。
【請求項６】
請求項１記載のシステムにおいて、前記特定のタイプの人間又は前記特定のタイプの情報は投資口座と関係していることを特徴とするシステム。
【請求項７】
請求項６記載のシステムにおいて、前記特定のサーチ語は、株式（stock）、株式仲買人（broker）、メリル（Merrill）、スミス・バーニー（smith barney）、アメリトレード（ameritrade）、デイテック（datek）、スコットレード（scottrade）、チャールズスワブ（charlesswab）、配当（dividend）、ｊｐモーガン（jpmorgan）及びｔｄウォーターハウス（tdwaterhouse）から構成されるグループから選択された少なくとも１つの語であることを特徴とするシステム。
【請求項８】
請求項１記載のシステムにおいて、前記特定のタイプの人間又は前記特定のタイプの情報は企業幹部（corporate executives）又は企業運営（corporate operations）に関係することを特徴とするシステム。
【請求項９】
請求項８記載のシステムにおいて、前記特定のサーチ語は、会長（chairman）、取締役会（board of directors）、ＣＦＯ、ＣＥＯ、ＣＴＯ、ＣＯＯ、ＣＸＯ及び役員会（board meeting）から構成されるグループから選択された少なくとも１つの語であることを特徴とするシステム。
【請求項１０】
請求項１記載のシステムにおいて、前記特定のタイプの人間又は前記特定のタイプの情報は企業金融（corporate financials）に関係することを特徴とするシステム。
【請求項１１】
請求項１０記載のシステムにおいて、前記特定のサーチ語は、予算（budget）及び監査（audit）から構成されるグループから選択された少なくとも１つの語であることを特徴とするシステム。
【請求項１２】
請求項１記載のシステムにおいて、前記特定のタイプの人間又は前記特定のタイプの情報は様々な企業運営に関係することを特徴とするシステム。
【請求項１３】
請求項１２記載のシステムにおいて、前記特定のサーチ語は、役員会、会長、機密、コンタクト・リスト、クライアント・リスト、契約（contract）、合意（agreement）、ＦＹ１０５、ＦＹ１０４、ＦＹ１０６、ＦＹ１０７（及びその他）、ａｇｍｔ、合意、幹部及び予算から構成されるグループから選択された少なくとも１つの語であることを特徴とするシステム。
【請求項１４】
請求項１記載のシステムにおいて、前記特定のタイプの人間又は前記特定のタイプの情報は販売（sales）に関係することを特徴とするシステム。
【請求項１５】
請求項１４記載のシステムにおいて、前記特定のサーチ語は、コンタクト・リスト、クライアント・リスト、予測（forecast）、ＮＤＡ、ＳＯＷ、提案（proposal）、ＲＦＱ、ＲＦＰ及びＲＦＩから構成されるグループから選択された少なくとも１つの語であることを特徴とするシステム。
【請求項１６】
請求項１記載のシステムにおいて、前記特定のタイプの人間又は前記特定のタイプの情報は法的問題（legal matter）に関係することを特徴とするシステム。
【請求項１７】
請求項１６記載のシステムにおいて、前記特定のサーチ語は、デポジション（deposition）、ディスクロージャ（disclosure）、ＮＤＡ、ミューチュアル（mutual）及び機密性（Confidentiality）から構成されるグループから選択された少なくとも１つの語であることを特徴とするシステム。
【請求項１８】
請求項１記載のシステムにおいて、前記特定のタイプの人間又は前記特定のタイプの情報はピクチャ（picture）に関係することを特徴とするシステム。
【請求項１９】
請求項１８記載のシステムにおいて、前記特定のサーチ語はＤＳＣであることを特徴とするシステム。
【請求項２０】
請求項１記載のシステムにおいて、前記特定のタイプの人間又は前記特定のタイプの情報はセキュリティ・クリアランス（security clearances）に関係することを特徴とするシステム。
【請求項２１】
請求項２０記載のシステムにおいて、前記特定のサーチ語は、ＳＦ８５Ｐ及びＥＰＳＱから構成されるグループから選択された少なくとも１つの語であることを特徴とするシステム。
【請求項２２】
請求項１記載のシステムにおいて、前記特定のタイプの人間又は前記特定のタイプの情報は自国の安全に関係していることを特徴とするシステム。
【請求項２３】
請求項２２記載のシステムにおいて、前記特定のサーチ語は、応答計画、緊急計画、準備状況（preparedness）、ＤＨＳ、自国の安全（homeland security）、沿岸警備（coast guard）、ＤＨＨＳ、天然痘（smallpox）及び緊急から構成されるグループから選択された少なくとも１つの語であることを特徴とするシステム。
【請求項２４】
請求項１記載のシステムにおいて、前記特定のタイプの人間又は前記特定のタイプの情報は保護又は捜査局と関係することを特徴とするシステム。
【請求項２５】
請求項２４記載のシステムにおいて、前記特定のサーチ語は、ＵＳＣＧ、ＤＨＳ、自国の安全、ＵＳＳＳ、ＦＢＩ及びＣＩＡから構成されるグループから選択された少なくとも１つの語であることを特徴とするシステム。
【請求項２６】
請求項１記載のシステムにおいて、前記特定のタイプの人間又は前記特定のタイプの情報は児童ポルノグラフィ（child pornography）と関係することを特徴とするシステム。
【請求項２７】
請求項２６記載のシステムにおいて、前記特定のサーチ語は、レイゴールド（r@ygold）、男児愛好者（boylover）、児童愛好者（childlover）、ペド（pedo）、ペドファイル（pedofile）、ペドフィリー（pedophile）、ペドフィリア（Pedophilia）、キディ（kiddy）、ロリータ（Lolita）、プレロリータ（prelolita）、ベアボーン（b@rebone）及びドッグポルノ（ddoggprn）から構成されるグループから選択された少なくとも１つの語であることを特徴とするシステム。
【請求項２８】
請求項１記載のシステムにおいて、前記特定のタイプの人間又は前記特定のタイプの情報は捜査と関係することを特徴とするシステム。
【請求項２９】
請求項２８記載のシステムにおいて、前記特定のサーチ語は、事故及び捜査から構成されるグループから選択された少なくとも１つの語であることを特徴とするシステム。
【請求項３０】
請求項１記載のシステムにおいて、前記特定のタイプの人間又は前記特定のタイプの情報はハッカーと関係することを特徴とするシステム。
【請求項３１】
請求項２８記載のシステムにおいて、前記特定のサーチ語は、フラック（phrack）、２６００、クレジットカード、ハッカー、ハック、アナキストの料理本（anarchist cookbook）及びクレジットから構成されるグループから選択された少なくとも１つの語であることを特徴とするシステム。
【請求項３２】
請求項１記載のシステムにおいて、前記特定のタイプの人間又は前記特定のタイプの情報は空軍コマンド（Air Force Commands）と関係することを特徴とするシステム。
【請求項３３】
請求項３２記載のシステムにおいて、前記特定のサーチ語は、ａｅｔｃ、ａｆｃｃ、ａｆｉｃ、ａｆｌｃ、ａｆｍｃ、ａｆｅｓ、ａｆｓｐｃ、ａｆｓｏｃ、ａｆｓｃ、ａｐｇｃ、ｈｑｃ、ｐａｃａｆ及びｕｓａｆｅから構成されるグループから選択された少なくとも１つの語であることを特徴とするシステム。
【請求項３４】
請求項１記載のシステムにおいて、前記特定のタイプの人間又は前記特定のタイプの情報は陸軍コマンド（Army Commands）と関係することを特徴とするシステム。
【請求項３５】
請求項３４記載のシステムにおいて、前記特定のサーチ語は、ｕｓａｒｅｕｒ、ｆｏｒｓｃｏｍ、ｔｒａｄｏｃ、ｕｓａｃｅ、ｍｅｄｃｏｍ、ｕｓａｒｐａｃ、ｓｍｄｃ、ｕｓａｏｃ及びｍｔｍｃから構成されるグループから選択された少なくとも１つの語であることを特徴とするシステム。
【請求項３６】
請求項１記載のシステムにおいて、前記特定のタイプの人間又は前記特定のタイプの情報は軍隊士官候補生（military cadets）と関係することを特徴とするシステム。
【請求項３７】
請求項３６記載のシステムにおいて、前記特定のサーチ語は、ＳＯＰ、ＯＰＯＲＤ及びアネックスから構成されるグループから選択された少なくとも１つの語であることを特徴とするシステム。
【請求項３８】
請求項１記載のシステムにおいて、前記特定のタイプの人間又は前記特定のタイプの情報は主な軍事コマンド（major military commands）と関係することを特徴とするシステム。
【請求項３９】
請求項３８記載のシステムにおいて、前記特定のサーチ語は、ｎｏｒｔｈｃｏｍ、ｕｓｎｏｒｔｈｃｏｍ、ｕｓｃｅｎｔｃｏｍ、ｃｅｎｔｃｏｍ、ｕｓｅｕｃｏｍ、ｅｕｃｏｍ、ｕｓｐａｃｏｍ、ｐａｃｏｍ、ｕｓｓｏｕｔｈｃｏｍ及びｓｏｕｔｈｃｏｍから構成されるグループから選択された少なくとも１つの語であることを特徴とするシステム。
【請求項４０】
請求項１記載のシステムにおいて、前記特定のタイプの人間又は前記特定のタイプの情報は軍事及び政府との契約者と関係することを特徴とするシステム。
【請求項４１】
請求項４０記載のシステムにおいて、アクセンチュア、ブーズ・アレン（booz allen）、ロッキード（Lockheed）、ボーイング（Boeing）、レイセオン（Raytheon）、ジェネラル・ダイナミクス（General Dynamics）、リットン（Litton）、ＧＴＥ、テクストロン（Textron）、ヒューマーナ（Humana）、ダインコープ（DynCorp）、スバードラップ（Sverdrup）、ハリバートン（Halliburton）、アエロスペース（Aerospace）、ユニシス（Unysis）、ワールドコープ（Worldcorp）、ミトルテック（Mitretek）、サンギョン（Ssangyong）、テレダイン（Teledyne）及びセイブルライナ（Sabreliner）から構成されるグループから選択された少なくとも１つの語であることを特徴とするシステム。
【請求項４２】
請求項１記載のシステムにおいて、前記特定のタイプの人間又は前記特定のタイプの情報はデザイン・コンセプトと関係することを特徴とするシステム。
【請求項４３】
請求項４２記載のシステムにおいて、前記特定のサーチ語はＣＯＮＯＰＳであることを特徴とするシステム。
【請求項４４】
請求項１記載のシステムにおいて、前記特定のタイプの人間又は前記特定のタイプの情報は軍事単位と関係することを特徴とするシステム。
【請求項４５】
請求項４４記載のシステムにおいて、前記特定のサーチ語は、バラック（兵舎、barracks）、バタリオン（歩兵大隊、battalion）、ブリゲード（旅団、brigade）、ディビジョン（師団、division）及びレジメント（連隊、regiment）から構成されるグループから選択された少なくとも１つの語であることを特徴とするシステム。
【請求項４６】
請求項１記載のシステムにおいて、前記特定のタイプの人間又は前記特定のタイプの情報はインテリジェンスと関係することを特徴とするシステム。
【請求項４７】
請求項４６記載のシステムにおいて、前記特定のサーチ語は、ｉｎｔｓｕｍ、ｉｎｓｃｏｍ、Ｃ４ｉｓｒ、ｃ４ｉ、ｃ４ｉｓｐ、ｃ４−ｉｓｐ、ｃ４ｉ−ｓｒ、ｃ４ｉ−ｔａ及びｃ３ｉから構成されるグループから選択された少なくとも１つの語であることを特徴とするシステム。
【請求項４８】
請求項１記載のシステムにおいて、前記特定のタイプの人間又は前記特定のタイプの情報はは海軍コマンドと関係することを特徴とするシステム。
【請求項４９】
請求項４８記載のシステムにおいて、前記特定のサーチ語は、ｓｐａｗａｒ、ｎａｖｓｏｃ、ｃｎｒｓｅ、ＵＳＦＬＴＦＯＲＣＯＭ、ｃｏｍＵＳＦＬＴＦＯＲＣＯＭ、ＣＯＭＵＳＮＡＶＥＵＲ、ＵＳＮＡＶＥＵＲ、ａｉｒｌａｎｔ、ａｉｒｐａｃ、ｓｕｒｆｌａｎｔ、ｓｕｒｆｏｒ、ｕｓｓｕｒｆｏｒ、ｃｏｍｎａｖｓｕｒｆｌａｎｔ、ｎａｖｆｌａｎｔ、ｓｅｃｏｎｄｆｌｅｅｔ、ｃ３ｆ、ｃｕｓｎｓ、ｃｍｗｃ、ＣＯＭＩＮＥＷＡＲＣＯＭ、ＭＩＮＥＷＡＲＣＯＭ、ｅｗｔｇｌａｎｔ及びｃｆｆｃから構成されるグループから選択された少なくとも１つの語であることを特徴とするシステム。
【請求項５０】
請求項１記載のシステムにおいて、前記特定のタイプの人間又は前記特定のタイプの情報は軍事作戦と関係することを特徴とするシステム。
【請求項５１】
請求項５０記載のシステムにおいて、前記特定のサーチ語は、ｆｒａｇｏ、ｂｏｌｏ、ｓｉｔｒｅｐ、ｉｎｔｓｕｍ、ＳＰＯＤ、ＲＳＯＩ、ｃｏｎｏｐ、ｗａｒｎｏ、ｏｐｏｒｄ、ｆｒａｇｏｒｄ、ｗａｒｎｏｒｄ、ｏｐｌａｎ及びＭＤＭＰから構成されるグループから選択された少なくとも１つの語であることを特徴とするシステム。
【請求項５２】
請求項１記載のシステムにおいて、前記特定のタイプの人間又は前記特定のタイプの情報は軍事単位と関係することを特徴とするシステム。
【請求項５３】
請求項５２記載のシステムにおいて、前記特定のサーチ語は、「ｔｈ」、「ｒｄ」及び「ｎｄ」の接尾辞を有する数から構成されるグループから選択された少なくとも１つの語であることを特徴とするシステム。
【請求項５４】
請求項１記載のシステムにおいて、前記特定のタイプの人間又は前記特定のタイプの情報はテロリストと関係することを特徴とするシステム。
【請求項５５】
請求項５４記載のシステムにおいて、前記特定のサーチ語が、即興（improvised）、ＰＥＴＮ、爆発物（explosive）、ＦＭ、シアン化物（cyanide）、イスラミック（Islamic）、ジハード、コーラン、ムジャヒド（mujahid）、ムジャヒディン（mujahideen）、ムスリム（muslim）、リシン（ricin）、地下倉庫、高級言語パターン、死海文書、ホームランド・セキュリティ省（department homeland security）、ホワイト・パワー、亜硝酸塩（nitrite）、硝酸塩（nitrate）、ミリタリー、スナイパー・トレーニング、ポイズン、サイレンサ及びアナキストから構成されるグループから選択された少なくとも１つの語であることを特徴とするシステム。
【請求項５６】
請求項１記載のシステムにおいて、前記特定のタイプの人間又は前記特定のタイプの情報はムスリム文化と関係することを特徴とするシステム。
【請求項５７】
請求項５６記載のシステムにおいて、前記特定のサーチ語は、コーラン、死海文書、ムスリム、イスラミック及びイスラムから構成されるグループから選択された少なくとも１つの語であることを特徴とするシステム。
【請求項５８】
特定のタイプの人間又は特定のタイプの情報を結果的に発見することが知られている少なくとも１つの特定のサーチ語を用いることにより、前記特定のタイプの人間又は前記特定のタイプの情報の少なくとも１つを求めてＰ２Ｐネットワークをサーチする方法であって、
（ａ）前記Ｐ２Ｐに接続するステップと、
（ｂ）前記特定のタイプの人間又は前記特定のタイプの情報を発見することが知られている少なくとも１つのサーチ語を生じるステップと、
を含むことを特徴とする方法。
【発明の詳細な説明】
【技術分野】
【０００１】
関連出願
これは、２００４年１月２３日に出願された「Ｐ２Ｐネットワークにおいて情報をモニタ及び提供する方法」と題する米国特許出願第１０／７６４，１１１号の部分継続出願である。
【０００２】
本発明は、Ｐ２Ｐ（ピア・ツー・ピア、Peer-to-Peer）ネットワークにおいて特定のタイプの人間又は特定のタイプの情報を求めてサーチするシステムを提供し、特に、Ｐ２Ｐネットワークにおいて特定のタイプの人間又は特定のタイプの情報を見つけるプロファイリングの手段として、特定のタイプのサーチ語（検索語）を用いる。Ｐ２Ｐネットワークにおいて特定のタイプの人間又は情報を求めてサーチする方法もまた提供される。
【背景技術】
【０００３】
この出願における用法では、本発明の対象であるＰ２Ｐネットワークは、複数のノードから構成されており、それぞれのノードは、典型的には、接続されているノードとの間でデータ又は「通信メッセージ」の送受信をすることが出来るファイル・サーバとクライアントとの両方を含んでいる。
【０００４】
Ｐ２Ｐでは、それぞれのノードは、インターネットなどの通信媒体の上で直接に又は何らかのタイプのプロキシを介して他のノードと接続されている。例えば、サーチ・リクエストが発せられると、そのような送信側のノードは、自分自身が接続されているすべてのノードにサーチ・リクエストを送る（図１を参照）。これらのノードは、入手可能なファイルのリストをサーチして、一致が見つかると、位置と共に応答を送り返す。しかし、Ｐ２Ｐプロキシ・ネットワークは、典型的には、ノードＢに接続されたノードＡを含み、ノードＢはノードＣに接続されている（図２を参照）。ノードＡはノードＣには接続されておらず、ノードＡがサーチ・リクエストを生じると、それはノードＢに送られ、ノードＢは入手可能なファイルをサーチし、一致が見つかると、応答をノードＡに返送する。次に、ノードＢは、ノードＡのリクエストをノードＣに送り、ノードＣは入手可能なファイルをサーチし、一致が見つかると、応答をノードＢに返送する。すると、ノードＢはこの応答をノードＡに送る。図３には、非プロキシ・ループ・ネットワークが開示され、それぞれのノードが相互に直接に接続されている様子が示されている。
【０００５】
リーフ（葉）ノード／メイン・ノードのプロキシ・トポロジを用いるＰ２Ｐも存在する（図４を参照）。この場合には、いくつかのノードがメイン・ノードとして分類され、残りのノードはリーフ・ノードとして分類される。リーフ・ノードは、メイン・ノードと接続できるだけである。メイン・ノードだけが他のメイン・ノードと接続できる。リーフ・ノードは、サーチ・リクエストを生じるときには、そのサーチ・リクエストを自分自身が接続されているメイン・ノードに送る。すると、メイン・ノードは、そのサーチ・リクエストを自分自身が接続されているすべてのリーフ・ノードと自分自身が接続されているすべてのメイン・ノードとに送る。これらのメイン・ノードは、サーチ・リクエストを、自分自身が接続されているすべてのリーフ・ノードに送る。
【０００６】
一般的には、これらのネットワークは、音楽、映画及びソフトウェア・ファイルをそのユーザの間で共有するのに用いられる。このネットワークにアクセスするには、ユーザは、このＰ２Ｐに接続しこのＰ２Ｐを利用することが出来るＰ２Ｐクライアント・ソフトウェア・アプリケーションをインストールする。そのようなソフトウェアをインストールする際には、ユーザは、ダウンロードしたファイルを記憶するフォルダを自分自身のコンピュータ・システム上において選択しなければならない。このフォルダの中に配置されたすべてのファイルは、他のユーザにとっても入手可能である。例えば、第１のユーザが「foofile」と名付けたファイルをその共有フォルダ内に配置すると、第２のユーザは、そのファイルにアクセスしてダウンロードすることが可能である。
【発明の概要】
【発明が解決しようとする課題】
【０００７】
どのような理由であっても、機密性の高い情報を含むフォルダや、その場所に配置されていなければ共有することを望まない情報を含むフォルダを共有フォルダとして選択してしまうユーザが存在するし、あるいは、共有フォルダの中に、機密性の高い情報を後で配置してしまったり、間違いによって共有することを望まない情報を配置してしまったりすることもありうる。通常は、このような行為は、間違いや、意識することなしにユーザによってなされるが、悪意をもった人間によってなされる場合もある。Ｐ２Ｐクライアント・ソフトウェアがユーザが決して共有することを望まないファイルやディレクトリの共有を可能にしてしまうようなソフトウェア・バグを有することもある。Ｐ２Ｐクライアント・ソフトウェアをインストールすることが企業における規則違反である場合もある。
【０００８】
共有される情報は、ユーザ自身、ユーザが働く企業、更には国家機密を害する可能性がある。例えば、Ａ社の従業員が、Ｂ社に関する機密情報をうっかりして共有状態に置いてしまう可能性がある。従って、機密性の高い又は保護されるべき情報を共有状態に置いてしまうような人間を特定し、そのような情報をそのような人間から切り離す、又は、そのような人間にそのような情報の共有を停止させることが望ましい。
【０００９】
よって、本発明の目的は、共有されるべきではない情報の位置を結果的に特定し識別することになる特定のサーチ語を発行することにより、Ｐ２Ｐネットワークにおいて特定のタイプの人間又は特定のタイプの情報の位置を特定する方法を提供することである。
【課題を解決するための手段】
【００１０】
広くは、本発明は、特定のタイプの人間又は特定のタイプの情報を結果的に発見することが知られている少なくとも１つの特定のサーチ語を用いることにより、前記特定のタイプの人間又は前記特定のタイプの情報の少なくとも１つを求めてＰ２Ｐネットワークをサーチするシステムを提供する。本発明によるこのシステムは、（ａ）命令を記憶する記憶媒体と、（ｂ）ユーザ入力を受けとるユーザ入力デバイスと、（ｃ）前記ユーザ入力を処理し前記命令を用いて、（ｉ）前記Ｐ２Ｐネットワークに接続し、（ｉｉ）前記特定のタイプの人間又は前記特定のタイプの情報を発見することが知られている少なくとも１つの特定のサーチ語を発行するようにプログラムを実行するように動作可能なプロセッサ・ユニットと、を備えている。
【００１１】
本発明のこれ以外の効果は、本発明の好適実施例に関する以下の詳細な説明を熟読することによって、明らかになるはずである。
【図面の簡単な説明】
【００１２】
【図１】２つのノードからなるＰ２Ｐネットワークの単純化された概略図である。
【図２】Ｐ２Ｐプロキシ・ネットワークの単純化された概略図である。
【図３】Ｐ２Ｐの非プロキシ型ループ・ネットワークの単純化された概略図である。
【発明を実施するための形態】
【００１３】
本発明の好適なシステムは、特定のサーチ語又はサーチ語群を効果的に用いて、特定のタイプの人間又は特定のタイプの情報を発見する。
【００１４】
好適実施例では、本発明は、プロセッサ・ユニットとメイン・メモリと相互接続バスとを含むコンピュータ・システムにおいて実現される。プロセッサ・ユニットは、単一のマイクロプロセッサを含む場合もあれば、そのコンピュータをマルチプロセッサ・システムとして構成する複数のマイクロプロセッサを含む場合もある。メイン・メモリは、部分的には、プロセッサ・ユニットによって実行される命令及びデータを記憶する。本発明によるシステムの能力の全体又は一部がソフトウェアにおいて実現される場合には、メイン・メモリは動作の際に実行可能なコードを記憶する。メイン・メモリは、高速メモリだけでなく、ダイナミック・ランダム・アクセス・メモリ（ＤＲＡＭ）のバンクを含む場合もある。
【００１５】
コンピュータ・システムは、更に、大容量記憶装置と、周辺装置と、携帯可能な記憶媒体ドライブと、入力制御装置と、グラフィクス・サブシステムと、出力ディスプレイとを含みうる。コンピュータ・システムは、１又は複数のデータ転送手段を介して接続が可能である。例えば、プロセッサ・ユニットとメイン・メモリとは、ローカル・マイクロプロセッサ・バスを介して接続される場合がありうるし、大容量記憶装置、周辺装置、携帯可能記憶媒体ドライブ、グラフィクス・サブシステムなどを１又は複数の入出力（Ｉ／Ｏ）バスを介して接続することが可能である。大容量記憶装置は、磁気ディスク・ドライブや光学ディスク・ドライブを用いて実現できるのであるが、プロセッサ・ユニットによって用いられるデータ及び命令を記憶する不揮発性の記憶装置である。ソフトウェアの実施例の場合には、この大容量記憶装置は、メイン・メモリにロードされるソフトウェアを記憶する。
【００１６】
入力制御装置は、コンピュータ・システムのユーザに、ユーザ・インターフェースの一部を提供する。入力制御装置は、英数字及びそれ以外のキー情報を入力する英数字キーボードと、マウスやトラックボールやスティルスやカーソル・ディレクション・キーなどのカーソル制御装置を含む。テキスト及びグラフィクス情報を表示するために、コンピュータ・システムは、グラフィクス・サブシステムと出力ディスプレイとを含む。出力ディスプレイは、ＣＲＴディスプレイ又は液晶ディスプレイを含む。グラフィクス・サブシステムは、テキスト及びグラフィクス情報を受けとり、情報を処理して出力ディスプレイに出力する。
【００１７】
コンピュータ・システムに含まれるコンポーネントは、汎用のコンピュータ・システムにおいて典型的に見られるものであり、実際には、これらのコンポーネントは、この技術分野において広く知られているようなコンピュータ・コンポーネントの広いカテゴリを代表している。
【００１８】
このシステムは、ハードウェア又はソフトウェアとして実現される。ソフトウェアの実施例では、ソフトウェアは、汎用のコンピュータ・システムにおいて実現されるコンピュータ実行可能である複数の命令を含む。汎用のコンピュータ・システムにロードする前に、このシステムは、符号化された情報としてコンピュータ可読媒体の上に存在する。コンピュータ可読媒体の例としては、磁気フロッピ・ディスク、磁気テープ、コンパクト・ディスク・リード・オンリ・メモリ（ＣＤ−ＲＯＭ）などがある。ハードウェアの実施例の場合は、このシステムは、この出願において説明されている機能を実行するプロセッサ命令を含む専用のプロセッサを含む。回路を開発して、この出願において説明されている機能を実行することもできる。
【００１９】
本発明のある１つの好適実施例では、前記特定のサーチ語は、ＭＢＮＡ、紛争（dispute）、ステートメント（statement）、銀行（bank）、シティバンク（Citibank）、アメリカン・エクスプレス（american express）、バンクワン（bankone）、カード・サービシズ（card services）、チェース（chase）、チェッキング（checking）、デビット（debit）、デポジット（deposit）、ファーストユーエスエイ（firstusa）、ローン（loan）、支払い（payment）、貯蓄（savings）又は取引き（transaction）の語を求めるサーチを行い、その結果として、金融口座（financial accounts）と関係する人間及び／又は情報を発見することができる。
【００２０】
本発明の別の実施例では、紛争、カバー・レター、梗概（resume）、クレジットカード、ｍｂｎａ又はシティバンクを求めるサーチを行い、その結果として、窃盗及びクレジットカード紛争の識別に関係する人間及び／又は情報を発見することができる。
【００２１】
本発明の別の実施例では、株式（stock）、株式仲買人（broker）、メリル（Merrill）、スミス・バーニー（smith barney）、アメリトレード（ameritrade）、デイテック（datek）、スコットレード（scottrade）、チャールズスワブ（charlesswab）、配当（dividend）、ｊｐモーガン（jpmorgan）又はｔｄウォーターハウス（tdwaterhouse）を求めるサーチを行い、その結果として、投資口座（investment accounts）と関係する人間及び／又は情報を発見することができる。
【００２２】
本発明の別の実施例では、会長（chairman）、取締役会（board of directors）、ＣＦＯ、ＣＥＯ、ＣＴＯ、ＣＯＯ、ＣＸＯ又は役員会（board meeting）を求めるサーチを行い、その結果として、企業幹部（corporate executives）又は企業運営（corporate operations）と関係する人間及び／又は情報を発見することができる。
【００２３】
本発明の別の実施例では、予算（budget）又は監査（audit）を求めるサーチを行い、その結果として、企業金融（corporate financials）と関係する人間及び／又は情報を発見することができる。
【００２４】
本発明の別の実施例では、役員会、会長、機密、コンタクト・リスト、クライアント・リスト、契約（contract）、合意（agreement）、ＦＹ１０５、ＦＹ１０４、ＦＹ１０６、ＦＹ１０７（及びその他）、ａｇｍｔ、合意、幹部又は予算を求めるサーチを行い、その結果として、様々な企業運営と関係する人間及び／又は情報を発見することができる。
【００２５】
本発明の別の実施例では、コンタクト・リスト、クライアント・リスト、予測（forecast）、ＮＤＡ、ＳＯＷ、提案（proposal）、ＲＦＱ、ＲＦＰ又はＲＦＩを求めるサーチを行い、その結果として、販売（sales）と関係する人間及び／又は情報を発見することができる。
【００２６】
本発明の別の実施例では、デポジション（deposition）、ディスクロージャ（disclosure）、ＮＤＡ、ミューチュアル（mutual）又は機密性（Confidentiality）を求めるサーチを行い、その結果として、法的問題（legal matter）と関係する人間及び／又は情報を発見することができる。
【００２７】
本発明の別の実施例では、ＤＳＣを求めるサーチを行い、その結果として、ピクチャ（pictures）と関係する人間及び／又は情報を発見することができる。
【００２８】
本発明の別の実施例では、ＳＦ８５Ｐ又はＥＰＳＱを求めるサーチを行い、その結果として、セキュリティ・クリアランス（security clearances）と関係する人間及び／又は情報を発見することができる。
【００２９】
本発明の別の実施例では、応答計画、緊急計画、準備状況（preparedness）、ＤＨＳ、自国の安全（homeland security）、沿岸警備（coast guard）、ＤＨＨＳ、天然痘（smallpox）又は緊急を求めるサーチを行い、その結果として、自国の安全（homeland security）と関係する人間及び／又は情報を発見することができる。
【００３０】
本発明の別の実施例では、ＵＳＣＧ、ＤＨＳ、自国の安全、ＵＳＳＳ、ＦＢＩ又はＣＩＡを求めるサーチを行い、その結果として、保護局（protection agency）又は捜査局（investigation unit）と関係する人間及び／又は情報を発見することができる。
【００３１】
本発明の別の実施例では、レイゴールド（r@ygold）、男児愛好者（boylover）、児童愛好者（childlover）、ペド（pedo）、ペドファイル（pedofile）、ペドフィリー（pedophile）、ペドフィリア（Pedophilia）、キディ（kiddy）、ロリータ（Lolita）、プレロリータ（prelolita）、ベアボーン（b@rebone）又はドッグポルノ（ddoggprn）を求めるサーチを行い、その結果として、児童ポルノグラフィ（child pornography）と関係する人間及び／又は情報を発見することができる。
【００３２】
本発明の別の実施例では、事故又は捜査（incident or investigation）を求めるサーチを行い、その結果として、捜査と関係する人間及び／又は情報を発見することができる。
【００３３】
本発明の別の実施例では、フラック（phrack）、２６００、クレジットカード、ハッカー、ハック、アナキストの料理本（anarchist cookbook）又はクレジットを求めるサーチを行い、その結果として、ハッカー（hackers）と関係する人間及び／又は情報を発見することができる。
【００３４】
本発明の別の実施例では、ａｅｔｃ、ａｆｃｃ、ａｆｉｃ、ａｆｌｃ、ａｆｍｃ、ａｆｅｓ、ａｆｓｐｃ、ａｆｓｏｃ、ａｆｓｃ、ａｐｇｃ、ｈｑｃ、ｐａｃａｆ又はｕｓａｆｅを求めるサーチを行い、その結果として、空軍コマンド（Air Force Commands）と関係する人間及び／又は情報を発見することができる。
【００３５】
本発明の別の実施例では、ｕｓａｒｅｕｒ、ｆｏｒｓｃｏｍ、ｔｒａｄｏｃ、ｕｓａｃｅ、ｍｅｄｃｏｍ、ｕｓａｒｐａｃ、ｓｍｄｃ、ｕｓａｏｃ又はｍｔｍｃを求めるサーチを行い、その結果として、陸軍コマンド（Army Commands）と関係する人間及び／又は情報を発見することができる。
【００３６】
本発明の別の実施例では、ＳＯＰ、ＯＰＯＲＤ又はアネックスを求めるサーチを行い、その結果として、軍隊士官候補生（military cadets）と関係する人間及び／又は情報を発見することができる。
【００３７】
本発明の別の実施例では、ｎｏｒｔｈｃｏｍ、ｕｓｎｏｒｔｈｃｏｍ、ｕｓｃｅｎｔｃｏｍ、ｃｅｎｔｃｏｍ、ｕｓｅｕｃｏｍ、ｅｕｃｏｍ、ｕｓｐａｃｏｍ、ｐａｃｏｍ、ｕｓｓｏｕｔｈｃｏｍ又はｓｏｕｔｈｃｏｍを求めるサーチを行い、その結果として、主な軍事コマンド（major military commands）と関係する人間及び／又は情報を発見することができる。
【００３８】
本発明の別の実施例によると、アクセンチュア、ブーズ・アレン（booz allen）、ロッキード（Lockheed）、ボーイング（Boeing）、レイセオン（Raytheon）、ジェネラル・ダイナミクス（General Dynamics）、リットン（Litton）、ＧＴＥ、テクストロン（Textron）、ヒューマーナ（Humana）、ダインコープ（DynCorp）、スバードラップ（Sverdrup）、ハリバートン（Halliburton）、アエロスペース（Aerospace）、ユニシス（Unysis）、ワールドコープ（Worldcorp）、ミトルテック（Mitretek）、サンギョン（Ssangyong）、テレダイン（Teledyne）又はセイブルライナ（Sabreliner）を求めるサーチを行い、その結果として、軍事及び政府との契約者と関係する人間及び／又は情報を発見することができる。
【００３９】
本発明の別の実施例によると、ＣＯＮＯＰＳを求めるサーチを行い、その結果として、デザイン・コンセプトと関係する人間及び／又は情報を発見することができる。
【００４０】
本発明の好適実施例では、バラック（兵舎、barracks）、バタリオン（歩兵大隊、battalion）、ブリゲード（旅団、brigade）、ディビジョン（師団、division）又はレジメント（連隊、regiment）を求めるサーチを行い、その結果として、軍事単位と関係する人間及び／又は情報を発見することができる。
【００４１】
本発明の別の実施例では、ｉｎｔｓｕｍ、ｉｎｓｃｏｍ、Ｃ４ｉｓｒ、ｃ４ｉ、ｃ４ｉｓｐ、ｃ４−ｉｓｐ、ｃ４ｉ−ｓｒ、ｃ４ｉ−ｔａ又はｃ３ｉを求めるサーチを行い、その結果として、インテリジェンス（intelligence）と関係する人間及び／又は情報を発見することができる。
【００４２】
本発明の別の実施例では、ｓｐａｗａｒ、ｎａｖｓｏｃ、ｃｎｒｓｅ、ＵＳＦＬＴＦＯＲＣＯＭ、ｃｏｍＵＳＦＬＴＦＯＲＣＯＭ、ＣＯＭＵＳＮＡＶＥＵＲ、ＵＳＮＡＶＥＵＲ、ａｉｒｌａｎｔ、ａｉｒｐａｃ、ｓｕｒｆｌａｎｔ、ｓｕｒｆｏｒ、ｕｓｓｕｒｆｏｒ、ｃｏｍｎａｖｓｕｒｆｌａｎｔ、ｎａｖｆｌａｎｔ、ｓｅｃｏｎｄｆｌｅｅｔ、ｃ３ｆ、ｃｕｓｎｓ、ｃｍｗｃ、ＣＯＭＩＮＥＷＡＲＣＯＭ、ＭＩＮＥＷＡＲＣＯＭ、ｅｗｔｇｌａｎｔ又はｃｆｆｃを求めるサーチを行い、その結果として、海軍コマンドと関係する人間及び／又は情報を発見することができる。
【００４３】
本発明の別の好適実施例では、ｆｒａｇｏ、ｂｏｌｏ、ｓｉｔｒｅｐ、ｉｎｔｓｕｍ、ＳＰＯＤ、ＲＳＯＩ、ｃｏｎｏｐ、ｗａｒｎｏ、ｏｐｏｒｄ、ｆｒａｇｏｒｄ、ｗａｒｎｏｒｄ、ｏｐｌａｎ又はＭＤＭＰを求めるサーチを行い、その結果として、軍事作戦と関係する人間及び／又は情報を発見することができる。
【００４４】
本発明の別の実施例では、「ｔｈ」、「ｒｄ」及び「ｎｄ」の接尾辞を有する数を求めるサーチを行い、その結果として、軍事単位と関係する人間及び／又は情報を発見することができる。
【００４５】
本発明の別の実施例では、即興（improvised）、ＰＥＴＮ、爆発物（explosive）、ＦＭ、シアン化物（cyanide）、イスラミック（Islamic）、ジハード、コーラン、ムジャヒド（mujahid）、ムジャヒディン（mujahideen）、ムスリム（muslim）、リシン（ricin）、地下倉庫、高級言語パターン、死海文書、ホームランド・セキュリティ省（department homeland security）、ホワイト・パワー、亜硝酸塩（nitrite）、硝酸塩（nitrate）、ミリタリー、スナイパー・トレーニング、ポイズン、サイレンサ又はアナキストを求めるサーチを行い、その結果として、テロリストと関係する人間及び／又は情報を発見することができる。
【００４６】
本発明の別の実施例では、コーラン、死海文書、ムスリム、イスラミック又はイスラムを求めるサーチを行い、その結果として、ムスリム文化と関係する人間及び／又は情報を発見することができる。
【００４７】
例
以下の実例では、本発明によるシステムの実施例が説明される。
【００４８】
例１．この例では、軍事作戦に関係する情報を発見するシステムを説明する。
【００４９】
軍事作戦変更命令は、ｆｒａｇｏと称される。この例では、第１のユーザは、軍関係者（military personnel）を発見することを望んでいる。第１のユーザは、Ｐ２Ｐネットワークに接続し、サーチ語「ｆｒａｇｏ」を求めるサーチを実行する。第２のユーザは軍隊の中にいて、「ｆｒａｇｏ−ｏｐｏｒｄ１．ｄｏｃ」と名付けたファイルを有している。この場合、ユーザ２は、ユーザ１に対して、サーチ語「ｆｒａｇｏ」と一致するファイルを有していると応答し、そのファイルを第１のユーザがダウンロードできるようにする。すると、第１のユーザは、軍関係者と共有される軍事情報を発見する。
【図１】
2011216105.tif 000003
【図２】
2011216105.tif 000004
【図３】
2011216105.tif 000005
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、語のリストから選択された少なくとも２つのサーチ語の組み合わせを含み、前記少なくとも２つのサーチ語の前記組み合わせは、識別される前記少なくとも１つのタイプの人間からの応答を引き出すことが知られており、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザの意識なく共有された情報を含み、
（ｖ）識別される前記少なくとも１つのタイプの人間である関連したユーザを前記応答するコンピュータが有することを示す
ことを特徴とするシステム。
【請求項２】
請求項１記載のシステムにおいて、前記少なくとも１つのタイプの人間は、金融口座、投資口座、又はクレジット・カード紛争に関係していることを特徴とするシステム。
【請求項３】
請求項１記載のシステムにおいて、前記少なくとも１つのタイプの人間は企業幹部（corporate executives）又は企業運営（corporate operations）に関係することを特徴とするシステム。
【請求項４】
請求項１記載のシステムにおいて、前記少なくとも１つのタイプの人間は企業金融（corporate financials）に関係することを特徴とするシステム。
【請求項５】
請求項１記載のシステムにおいて、前記少なくとも１つのタイプの人間は様々な企業運営に関係することを特徴とするシステム。
【請求項６】
請求項１記載のシステムにおいて、識別される前記タイプの人間は、前記少なくとも１つのサーチ語と関連した情報を共有すべきでない人間であることを特徴とするシステム。
【請求項７】
請求項１記載のシステムにおいて、識別される前記タイプの人間は、前記少なくとも１つのサーチ語と関連した別の実体と関係した情報を共有した人間であることを特徴とするシステム。
【請求項８】
Ｐ２Ｐネットワーク上でサーチを発行することにより少なくとも１つのタイプの人間を識別する方法であって、前記方法は、該方法が含むステップを実行するために実行される命令を記憶する記憶媒体と、記憶された前記命令を実行するプロセッサ・ユニットとを備えたシステムによって実行され、前記方法は、
前記システムが、識別される少なくとも１つのタイプの人間を決定するステップと、
前記システムを前記Ｐ２Ｐネットワークに接続するステップと、
前記システムから前記Ｐ２Ｐネットワーク上にＰ２Ｐサーチを発行するステップであって、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、語のリストから選択された少なくとも２つのサーチ語の組み合わせを含み、前記少なくとも２つのサーチ語の前記組み合わせは、識別される前記少なくとも１つのタイプの人間からの応答を引き出すことが知られており、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前記Ｐ２Ｐサーチの発行の前には知られていない、ステップと、
前記システムが、予め決定されたサーチ語の前記グループを含む前記Ｐ２Ｐネットワーク上の前記Ｐ２Ｐサーチの結果として応答を受けるステップであって、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザの意識なく共有された情報を含む、ステップと、
前記システムが、識別される前記少なくとも１つのタイプの人間である関連したユーザを前記応答するコンピュータが有することを示すステップと
を含むことを特徴とする方法。
【請求項９】
請求項８記載の方法であって、識別される前記タイプの人間は、共有されるべきでない情報を共有した人間であることを特徴とする方法。
【請求項１０】
請求項８記載の方法であって、識別される前記タイプの人間は、前記少なくとも１つのサーチ語と関連した別の実体と関係した情報を共有した人間であることを特徴とする方法。
【請求項１１】
Ｐ２Ｐネットワークにおいて接続された複数のノードにメッセージを送り、前記Ｐ２Ｐネットワークにおいて接続された前記ノードからメッセージを受けるためのＰ２Ｐネットワーク通信接続と、
前記Ｐ２Ｐネットワーク通信接続に接続された処理装置であって、前記処理装置は、命令を記憶するための命令記憶デバイスと、出力デバイスと、命令実行ユニットとを備え、前記命令実行ユニットは、前記記憶デバイスから命令を読み、該命令を実行して、
（ｉ）識別される少なくとも１つのタイプの人間を決定し、
（ｉｉ）前記Ｐ２Ｐネットワーク上にサーチ・メッセージを発行し、前記サーチ・メッセージは少なくとも２つのサーチ語の組み合わせを含み、前記少なくとも２つのサーチ語は、前記Ｐ２Ｐネットワーク上の所与のＰ２Ｐノードによって、該所与のＰ２Ｐノードと関連したユーザの意識なく共有されるべきでない情報と関連し、前記少なくとも２つのサーチ語の組み合わせは、サーチ語のリストから選択され、前記少なくとも２つのサーチ語の前記組み合わせは、識別される前記少なくとも１つのタイプの人間からの応答を引き出すことが知られており、
（ｉｉｉ）発行した前記サーチの結果として特定のＰ２Ｐノードから応答メッセージを受け、
（ｉｖ）前記応答メッセージを発した前記特定のＰ２Ｐノードが、前記所与のＰ２Ｐノードと関連した前記ユーザの意識なく共有されるべきでない情報を共有している前記所与のＰ２Ｐノードであること、及び前記Ｐ２Ｐノードが、識別される少なくとも１つのタイプの人間である関連したユーザを有することを、前記出力デバイスを使用して示す、前記処理装置と
を備えた、装置。
【請求項１２】
請求項１１記載の装置であって、前記サーチ語は、金融口座、投資口座、又はクレジット・カード紛争に関連することを特徴とする装置。
【外国語明細書】
2011216105000001.pdf